(57)【特許請求の範囲】
【請求項１】
挿入口に挿入された記憶媒体から情報を読み取る記憶媒体処理手段と、
前記挿入口に配置されて発光する発光手段と、
画像を表示する表示手段と、
これらを制御して取引を実行する制御手段とを備え、
該制御手段を、
所定の発光態様で前記発光手段を発光させ、
該発光態様を示す発光態様情報を前記表示手段に表示させる構成とした
取引処理装置。
【請求項２】
前記発光態様として複数の発光態様を記憶しておく記憶手段と、
取引毎に前記発光態様を選択する発光態様選択手段を備えた
請求項１記載の取引処理装置。
【請求項３】
前記制御手段を、前記発光態様情報と共に、前記発光手段の発光態様と前記表示手段に表示している発光態様とが一致していなければ取引しないように促す注意情報も表示する構成とした
請求項１または２記載の取引処理装置。
【請求項４】
前記発光手段の発光態様と前記表示手段に表示している発光態様との一致を確認したことを入力許容する一致確認入力手段と、
該一致確認入力手段で一致が入力された場合に前記挿入口への前記記憶媒体の挿入を許可する挿入規制手段とを備えた
請求項１、２または３記載の取引処理装置。
【請求項５】
前記挿入口への記憶媒体の挿入を検知する挿入検知手段と、
前記一致確認入力手段で一致が入力される前に前記挿入検知手段で挿入を検知すると、前記発光手段の発光態様と前記表示手段の発光態様とを確認して一致確認入力手段に一致確認を入力するように音声案内する音声案内手段とを備えた
請求項４記載の取引処理装置。
【請求項６】
前記発光手段の発光態様と前記表示手段に表示している発光態様との不一致を確認したことを入力許容する不一致確認入力手段と、
該不一致確認入力手段で不一致が入力された場合に通信回線で接続された他の装置へ報知する報知手段とを備えた
請求項１から５のいずれか１つに記載の取引処理装置。
【発明の詳細な説明】
【技術分野】
【０００１】
この発明は、例えば金融機関等に設置され、顧客の操作によって現金の入金や出金等の取引を行うような取引処理装置に関するものであり、特に、取引時に顧客の記憶媒体の情報がスキミングされないように対策を施した取引処理装置に関する。
【背景技術】
【０００２】
近年、急速な情報化社会の進展に伴い、企業や自治体等で個人情報や機密情報に対する管理意識が高まっている。また、金融業界では、印鑑偽造、カード偽造、カードのスキミング犯罪等による不正取引が大きな社会問題となっている。海外においても同様にカードのスキミングによる不正取引が大きな問題となっている。
【０００３】
ここで、カードのスキミングは、装置のカード挿入口にカード情報を読み取るスキミング装置を取り付け、利用者が知らずにカードをカード挿入口に挿入した時に、前記スキミング装置でカード情報を不正に搾取することで実行される。このようなスキミングに用いられるスキミング装置は、カード挿入口の形状に似せた疑似挿入口の内部に設けられ、この擬似挿入口がカード挿入口に取り付けられて使用されている。
【０００４】
このようなスキミングを防止する方法として、例えば、カード挿入口を発光させる構造にし、スキミング装置の取り付けを防止する方法が考えられる。このようにカード挿入口を発光させるものとして、カードの挿入をガイドするカード挿入ガイド体の一部を光透過性材料で形成し、内部の光源の光により光透過性材料を発光させ、カードの挿入案内の視認性を向上するカードゲート機構が提案されている（特許文献１参照）。
【０００５】
しかし、このようなカードゲート機構を採用しても、同様に発光する擬似挿入口が作られてカード挿入口に取り付けられると、利用者が擬似挿入口に気づかずカードをスキミングされてしまうという問題点がある。
【特許文献１】特開２００４−１８５５１３号公報
【発明の開示】
【発明が解決しようとする課題】
【０００６】
この発明は、上述の問題に鑑み、カード挿入口にスキミング装置が実装されていることを利用者が容易に認識できる取引処理装置を提供し、スキミングを防止することを目的とする。
【課題を解決するための手段】
【０００７】
この発明は、挿入口に挿入された記憶媒体から情報を読み取る記憶媒体処理手段と、前記挿入口に配置されて発光する発光手段と、画像を表示する表示手段と、これらを制御して取引を実行する制御手段とを備え、該制御手段を、所定の発光態様で前記発光手段を発光させ、該発光態様を示す発光態様情報を前記表示手段に表示させる構成とした取引処理装置であることを特徴とする。
【０００８】
好ましい態様として、前記発光態様として複数の発光態様を記憶しておく記憶手段と、取引毎に前記発光態様を選択する発光態様選択手段を備えたことを特徴とする。
【発明の効果】
【０００９】
本発明によれば、スキミング装置が実装されていることを容易に利用者が判断でき、スキミングによるカード情報の不正取得を未然に防止することができる取引処理装置を提供することができる。
【発明を実施するための最良の形態】
【００１０】
この発明の一実施形態を以下図面と共に説明する。  
図１は、取引処理装置としてのＡＴＭ（Automated Teller Machine）５と、他の装置としてのホストコンピュータ２とが通信回線３を介して接続された取引システム１のシステム構成図であり、図２は、ホストコンピュータ２とＡＴＭ５の内部構成を示すブロック図である。この取引システム１は、例えば銀行システムなどの金融機関システムに採用されるものである。
【００１１】
ホストコンピュータ２は、回線接続部３１、ファイル部３２、口座情報ファイル制御部３６、およびこれらを制御するホストコンピュータ制御部３５とを有する。
【００１２】
回線接続部３１は、通信回線３（図１参照）に接続されており、ＡＴＭ５の回線接続部１３を介してＡＴＭ５とのデータの送信および受信を行う。
【００１３】
ファイル部３２は、利用者の口座情報などを記憶する口座情報ファイル３３および各種ファイル３４を記憶している。この口座情報ファイル３３には、利用者の暗証番号も記憶されている。
【００１４】
口座情報ファイル制御部３６は、ファイル部３２に記憶されている口座情報ファイル３３および各種ファイル３４を制御する。
【００１５】
ホストコンピュータ制御部３５は、上記各部を制御する。また、口座情報ファイル３３に記憶されている利用者の暗証番号と、ＡＴＭ５より受信するデータに含まれる暗証番号とを比較して、その結果をＡＴＭ５に送信する処理も実行する。これによりＡＴＭ５によって入力された暗証番号の可否を判断する。
【００１６】
ＡＴＭ５は、金融機関等に設置され、顧客の操作によって現金の入金や出金等の取引を行う自動取引装置である。  
このＡＴＭ５は、回線接続部１３によりホストコンピュータ２の回線接続部３１に接続されている。ＡＴＭ５は利用者の要求する種々の取引を自動的に実行する装置であり、Ｉ／Ｏ制御部９、発光手段としてのフリッカ１０、入力兼表示部１１、通帳機構部１２、回線接続部１３、カード／明細票機構部１５、紙幣入出金機構部１６、硬貨入出金機構部１７、音声案内ガイダンス部１８、静脈認証機構部１９、そしてこれら各部を制御する制御手段としての制御部１４などで構成されている。
【００１７】
制御部１４は、ＣＰＵ、メモリ等のハード構成と、プログラム、データ等のソフト構成とから成り、各種処理、取引を制御すると共に、記憶手段としても機能する。制御部１４に記憶しているデータには、発光態様情報としての発光パターン情報も含まれている。この発光パターン情報は、フリッカ１０の色である発光色、およびフリッカ１０の発光の周期である発光周期で構成されている。
【００１８】
Ｉ／Ｏ制御部９は、制御部１４の制御に従って、フリッカ１０などの各種Ｉ／Ｏ機器を制御する。フリッカ１０の制御に関して、Ｉ／Ｏ制御部９は、制御部１４から発光態様としての発光パターンを示す発光パターン信号を受信し、該発光パターン信号に指定された色および周期の発光をフリッカ１０に実行させる制御を行う。  
フリッカ１０は、青色のＬＥＤと緑色のＬＥＤなど、複数色の光源を有しており、Ｉ／Ｏ制御部９の制御に従って各色の光源の点灯／消灯を行う。
【００１９】
入力兼表示部１１は、制御部１４から受信した画像信号に従って画面表示を行う画面表示機能、および入力検知した入力信号を制御部１４からに送信する入力検知機能を有している。主にＡＴＭ５の利用者が取引を行う際、取引操作の誘導画面を表示し、利用者の操作や指で押された暗証番号などの入力を受付ける。また、この入力兼表示部１１は、フリッカ１０の発光パターンを示す情報の表示も行う。  
なお、入力兼表示部１１は、液晶ディスプレイなどの表示機器に透明のタッチパネルを重ねて設けた構成が好ましい。このように構成すれば、様々な情報を表示画面に表示でき、この表示画面に含まれる種々の項目への押下を検知できる。
【００２０】
通帳機構部１２は、制御部１４の制御に従って、利用者の通帳の挿入／排出動作、磁気ストライプのリード／ライト動作、通帳への印字部による印字動作などを実行する。
【００２１】
回線接続部１３は、通信回線３を通じてホストコンピュータ２の回線接続部３１と通信する。この通信には、スキミング装置が設置されていると利用者に認識された場合に送信する発光パターンの不一致の情報も含まれている。このため、回線接続部１３は、スキミング装置の設置などによる異常を他の装置に報知する報知手段として機能する。
【００２２】
カード／明細票機構部１５は、記憶媒体処理手段としてのカード機構部と、明細票機構部とで構成されている。カード機構部は、制御部１４の制御に従って、利用者が所持する記憶媒体としてのカード４（図１参照）の挿入又は排出動作、カード４の磁気ストライプ又はＩＣチップへのリード又はライト動作、カードエンボス部分のイメージの読取り動作などを実行する。明細票機構部は、制御部１４の制御に従って、取引した内容を印字部により明細票に印字し、この明細票を排出する。
【００２３】
ここで使用するカード４は、磁気またはＩＣ等の記憶部を有し、該記憶部に個人情報及びカード情報を記憶させたキャッシュカードやクレジットカード等のカード型記憶媒体である。
【００２４】
紙幣入出金機構部１６と硬貨入出金機構部１７は、制御部１４の制御に従って、現金の入金動作および出金動作、現金の鑑別動作、搬送動作、および収納動作を実行する。
【００２５】
音声案内ガイダンス部１８は、スピーカ等で構成されており、制御部１４の制御に従って音声案内を実行する。この音声案内として、音声案内ガイダンス部１８は、フリッカ１０の発光パターンと入力兼表示部１１に表示した発光パターンを示す情報とが一致するか否か確認することを利用者に促す確認要請案内も行う。
【００２６】
静脈認証機構部１９は、カード４がＩＣカードであった場合に、制御部１４の制御に従って、利用者の静脈を読み取る静脈読取動作、および読み取った静脈データとＩＣカードに登録されている静脈データとを認証する認証動作を実行する。
【００２７】
図３は、スキミング対策のしくみを示すカード挿入口１５ａと表示手段としての入力兼表示部１１の画面構成例である。
【００２８】
ＡＴＭ５のカード挿入口１５ａに設けられたフリッカ１０は、ＬＥＤなどの光源と、該光源の発した光を透光して光る透明または半透明のアクリル部材などによる導光体で構成されており、この動光体によりカード挿入口１５ａの全周を囲繞する構成にしている。つまり、フリッカ１０はカード挿入口１５ａのカード挿入穴に連通するようにカード挿入穴１０ａを有している。これにより、カード挿入口１５ａの全周で発光する構成にしている。
【００２９】
入力兼表示部１１には、カード挿入案内画面１１０として挿入口のフリッカ１０を発光状態が解るように表示するフリッカ画像１１７と、ガイダンス１１１〜１１２と、ボタン１１３〜１１５が表示される。
【００３０】
フリッカ画像１１７は、入力兼表示部１１の画面上で最もフリッカ１０に近い位置である右上位置に、実物のフリッカ１０とほぼ同一の大きさで表示されている。このフリッカ画像１１７は、実物のフリッカ１０を撮影した撮影画像、コンピュータグラフィックスで作成したＣＧ画像、あるいは模式的に図示する模式画像等で構成されている。また、このフリッカ画像１１７は、フリッカ１０が点灯している状態の点灯状態静止画像と、消灯している状態の消灯状態静止画像とを交互に切り替えて表示する、あるいは、点滅しているフリッカ画像１１７の動画像を表示する構成とすることができる。
【００３１】
ガイダンス１１１は、「カードを矢印の方向に入れてください」と文字表示し、カード挿入を要請する内容を利用者に通知する。
【００３２】
ガイダンス１１２は、「カード挿入口が左の画像のカード挿入口のフリッカ(挿入口周囲発光部)と同色・同周期で光っているかを確認してください。一致していれば一致確認ボタンを押してください。一致していなければ不一致ボタンを押してください。」と文字表示し、フリッカ１０の発光態様とフリッカ画像１１７の発光態様が一致するか確認することを利用者に要請し、確認した結果を入力するように要請する。
【００３３】
不一致ボタン１１３は、フリッカ１０の発光態様とフリッカ画像１１７の発光態様が不一致の場合に利用者に押下させるボタンであり、不一致確認入力手段として機能する。押下されると、制御部１４が、フリッカ１０に異変があること（スキミング装置が取り付けられている可能性があること）をホストコンピュータ２に通知する。
【００３４】
一致確認ボタン１１４は、フリッカ１０の発光態様とフリッカ画像１１７の発光態様が一致する場合に利用者に押下させるボタンであり、一致確認入力手段として機能する。押下されると、制御部１４が、カード挿入口１５ａへのカード４の挿入可否を規制する挿入規制手段としての規制シャッタ（図示省略）を挿入禁止状態から挿入許可状態に切り替える。
【００３５】
取消ボタン１１５は、取引を取り消す場合に利用者に押下させるボタンである。押下されると、制御部１４が、取引を取り消して待機状態に戻る。
【００３６】
図４は、スキミング対策を施したＡＴＭ５で取引許容する際における制御部１４の動作のフローチャートを示し、図５〜図７は、入力兼表示部１１に表示する画面の画面イメージ図を示す。
【００３７】
制御部１４は、カード／明細票機構部１５のカード挿入口１５ａに設けられている規制シャッタを駆動してカード４の挿入を禁止し（ステップＳ１）、図５（Ａ）に示す取引開始画面１００を表示する（ステップＳ２）。
【００３８】
この取引開始画面１００は、顧客が取引を開始するための各種取引項目の開始ボタン１０１として、例えば、「お振替」「通帳記入」「キャッシング」「各種取引」「お引き出し」「お預入れ」「お振込み」「残高照会」など、ＡＴＭ５にて取引可能な各種取引項目が表示されている。
【００３９】
利用者による「各種取引」等の開始ボタン１０１の押下を受け付けると（ステップＳ３）、制御部１４は、この押下を入力兼表示部１１が検知することで選択された取引を開始する。このとき制御部１４は、発光態様選択手段として機能し、複数種類用意されている発光パターンから１つの発光パターンをランダムに選択して決定する（ステップＳ４）。
【００４０】
制御部１４は、入力兼表示部１１にＲＧＢ信号を送信して、カード挿入を促すカード挿入案内画面１１０を表示する（ステップＳ５）。このとき制御部１４は、図５（Ｂ）に示すように、カード挿入案内画面１１０に表示するフリッカ画像１１７を、ステップＳ４で決定した発光パターンの発光色で発光している点灯状態静止画像と、消灯している状態の消灯状態静止画像とを、発光パターンの発光周期で交互に切り替えて表示させる。
【００４１】
また、ステップＳ５の開始と同時に制御部１４は、フリッカ１０を発光させる。このフリッカ１０の発光は、ステップＳ４で決定した発光パターンの発光色と発光周期とをＩ／Ｏ制御部９が制御部１４から受信し、この発光色と発光周期に従ってＩ／Ｏ制御部９がフリッカ１０の点灯と消灯を切り替え制御することで実行する。
【００４２】
このステップＳ５とステップＳ６の同時進行により、フリッカ１０の発光色および発光周期と、フリッカ画像１１７の発光色および発光周期の同期を取ることができる。
【００４３】
上記図５（Ｂ）は、例えば発光パターンが緑色であった場合を示し、図５（Ｃ）は、発光パターンが他の色である例えば青色であった場合を示している。このように、フリッカ１０の発光パターンに合わせてフリッカ画像１１７を切り替えるため、利用者は、カード挿入案内画面１１０に表示されているガイダンス１１２を見て、フリッカ１０とフリッカ画像１１７が同一か否かを確認するだけで異常の有無（特にスキミング装置の設置の有無）を容易に確認できる。
【００４４】
利用者により一致確認ボタン１１４が押下されると（ステップＳ７：ＹＥＳ）、制御部１４は規制シャッタを駆動してカード４の挿入を許可し（ステップＳ８）、利用者によるカード４のカード挿入口１５ａへの挿入を受け付ける（ステップＳ９）。
【００４５】
制御部１４は、図６（Ｄ）に示すデータ読み出し中画面１２０を入力兼表示部１１に表示し（ステップＳ１０）、挿入されたカード４の磁気ストライプに記憶されている情報をカード／明細票機構部１５により読み取る（ステップＳ１１）。
【００４６】
制御部１４は、図６（Ｅ）に示す暗証番号入力画面１３０を入力兼表示部１１に表示する（ステップＳ１２）。この暗証番号入力画面１３０に表示しているテンキー１３１と確認ボタン１３２が利用者により操作され、暗証番号が入力されると（ステップＳ１３）、制御部１４は、入力された入力情報と、カード／明細票機構部１５によりカード４から読み出した情報とを比較する（ステップＳ１４）。
【００４７】
比較の結果、暗証番号が不一致であれば（ステップＳ１４：ＮＯ）、制御部１４は、図６（Ｆ）に示す暗証番号ＮＧ画面１４０を入力兼表示部１１に表示する（ステップＳ１５）。この暗証番号ＮＧ画面１４０には、暗証番号入力画面１３０と同様にテンキー１４１および確認ボタン１４２が設けられている。
【００４８】
制御部１４は、暗証番号が入力された入力回数と、予め設定しておいた所定回数（暗証番号入力許容回数）の比較を行う（ステップＳ１６）。所定回数を超えていれば（ステップＳ１６：ＹＥＳ）、制御部１４は、図７（Ｇ）に示すカード返却画面１５０を入力兼表示部１１に表示し、カード４を返却して処理を終了する（ステップＳ１７）。
【００４９】
前記ステップＳ１６で入力回数が所定回数未満の場合（ステップＳ１６：ＮＯ）、制御部１４は、ステップＳ１２に処理を戻し、再度暗証番号入力画面１３０を入力兼表示部１１に表示する。
【００５０】
前記ステップＳ１４で暗証番号が一致すれば（ステップＳ１４：ＹＥＳ）、制御部１４は、図７（Ｈ）に示すセンター送受信中画面１６０を入力兼表示部１１に表示し（ステップＳ１９）、取引処理などのセンター送受信処理をして（ステップＳ１９）、処理を終了する。
【００５１】
前記ステップＳ７で一致確認ボタン１１４が押下されず（ステップＳ７：ＮＯ）、不一致ボタン１１３が押下されると（ステップＳ２０：ＹＥＳ）、制御部１４は、ホストコンピュータ２へ不一致が押下されたことを通知する（ステップＳ２１）。制御部１４は、取引を停止し（ステップＳ２２）、処理を終了する。
【００５２】
前記ステップＳ２０で不一致ボタン１１３が押下されなければ（ステップＳ２０：ＮＯ）、制御部１４は、カード挿入口１５ａの入り口から規制シャッタまでの間に設けられた挿入検知手段としてのセンサ（図示省略）によりカード４の挿入を検知するまでステップＳ７に処理を戻す（ステップＳ２３：ＮＯ）。
【００５３】
上記センサによりカード４の挿入を検知すれば、制御部１４は、音声案内ガイダンス部１８により、「カード挿入口（フリッカ１０）と画面上のカード挿入口の画像（フリッカ画像１１７）の発光色および発光周期が一致しているか確認し、一致していれば一致確認ボタンを押下してください。不一致であれば不一致ボタンを押下してください。」と利用者に音声にて通知し（ステップＳ２４）、ステップＳ７に処理を戻す。このステップＳ２４を実行する制御部１４および音声案内ガイダンス部１８は、音声案内手段として機能する。
【００５４】
以上の構成および動作により、フリッカ１０に似せたスキミング装置がカード挿入口１５ａに取り付けられると、スキミング装置の発光パターンと、入力兼表示部１１のフリッカ画像１１７の発光パターンとが一致せず、異常のあることを利用者に容易に認識させることができる。
【００５５】
つまり、どれだけ精巧にフリッカ１０に似せてスキミング装置を製造しても、いつどの色で発光するか不明なため、ＡＴＭ５の制御部１４によりランダムに選択される発光パターンと同一の発光パターンで発光させることはできない。従って、利用者は、知らぬ間にカード４がスキミングされることを防止できる。
【００５６】
また、一致確認ボタン１１４を設けたため、利用者がフリッカ１０とフリッカ画像１１７の発光パターンの一致を確認せずにカード４をカード挿入口１５ａに挿入することを防止できる。
【００５７】
特に、一致確認ボタン１１４が押下されるまで、カード挿入口１５ａへのカード４の挿入を禁止しているため、フリッカ１０とフリッカ画像１１７の発光パターンの一致を確認せずにカード４を挿入することを確実に防止できる。
【００５８】
また、不一致ボタン１１３が押下されるとホストコンピュータ２に報知する構成にしたため、この報知に即座に対応することができ、ＡＴＭ５にスキミング装置が設置されたまま放置することを防止できる。特に、ホストコンピュータ２に報知する際にＡＴＭ５を識別する識別情報（例えば店舗情報や機器番号など）を送信するようにすれば、フリッカ１０とフリッカ画像１１７が一致しないＡＴＭ５をすぐに特定でき、迅速に対応することができる。
【００５９】
また、一致確認ボタン１１４が押下されるまでカード挿入口１５ａへのカード４の挿入を禁止するため、利用者がフリッカ１０とフリッカ画像１１７の各発光パターンを比較せずにカード４をカード挿入口１５ａに挿入することを防止できる。
【００６０】
また、一致確認ボタン１１４や不一致ボタン１１３を押下せずにカード挿入口１５ａにカード４が挿入されると、音声案内によってフリッカ１０とフリッカ画像１１７の一致を確認するように促すため、この確認が必要であることを利用者に容易に認識させることができる。従って、確認が必要であることに利用者が気づかずに、例えばカード挿入口１５ａにカード４を挿入できずＡＴＭ５が故障していると利用者に誤解されるといったことを防止できる。
【００６１】
なお、発光パターンは、発光色と発光周期の両方を異ならせた複数のパターンを用意したが、発光色だけが異なる複数のパターンで構成する、あるいは、発光周期だけが異なる複数のパターンで構成することも可能である。この場合でも、フリッカ１０とフリッカ画像１１７の一致を確認させることができる。
【００６２】
また、発光パターンの選択は、ランダムに選択することに変えて、取引内容、取引種別、顧客情報、および取引時間等、所定のタイミングに対応付けた発光パターンを選択する構成にしてもよい。この場合でも、発光パターンを取引毎に変更することができる。
【００６３】
また、発光パターンは、取引毎に選択して変更するのではなく、取引内でも変更する構成にしてもよい。この場合、発光パターンを複雑化することができる。
【００６４】
また、前記ステップＳ１，８，２３，２４を省略し、カード挿入の許可と禁止の制御は行わない構成にすることもできる。この場合は、構成を簡略化することができる。
【００６５】
また、前記ステップＳ１，８，２３，２４を省略すると共に、ステップＳ２０〜２２を省略し、前記ステップＳ７でフリッカ１０とフリッカ画像１１７の一致を確認するように利用者に報知する構成にしてもよい。この場合、カード挿入案内画面１１０に不一致ボタン１１３および一致確認ボタン１１４を設けず、ガイダンス１１２の文言を、注意情報に変更すればよい。
【００６６】
この注意情報は、例えば「カード挿入口が右の画像のカード挿入口のフリッカ(挿入口周囲発光部)と同色・同周期で光っているかを確認してください。異なる場合は取引を行わず、係員にご連絡ください。」とすればよい。  
これにより、構成をより簡略化することができる。
【００６７】
また、フリッカ画像１１７としてフリッカ１０の画像を表示する構成にしたが、例えばフリッカ１０が発光する発光色や、点滅発光か連続点灯発光かといった発光パターンを文字や記号等によって表示する構成にしてもよい。この場合も、フリッカ１０の発光パターンを切り替え、この発光パターンが正しいか否か利用者に確認させることができる。
【００６８】
また、フリッカ１０はＩ／Ｏ制御部９に接続することに変えて、カード／明細票機構部１５に接続して構成してもよい。この場合、カード／明細票機構部１５の制御によりフリッカ１０を点灯／消灯させる構成にすればよい。
【００６９】
この発明は、上述の実施形態の構成のみに限定されるものではなく、多くの実施の形態を得ることができる。
【図面の簡単な説明】
【００７０】
【図１】ＡＴＭとホストコンピュータによる取引システムのシステム構成図。
【図２】ＡＴＭの内部構成を示すブロック図。
【図３】フリッカと入力兼表示部の説明図。
【図４】ＡＴＭの制御部の動作を示すフローチャート。
【図５】入力兼表示部に表示する画面の画面イメージ図。
【図６】入力兼表示部に表示する画面の画面イメージ図。
【図７】入力兼表示部に表示する画面の画面イメージ図。
【符号の説明】
【００７１】
２…ホストコンピュータ
３…通信回線
４…カード
５…ＡＴＭ
１０…フリッカ
１１…入力兼表示部
１３…回線接続部
１４…制御部
１５…カード／明細票機構部
１５ａ…カード挿入口
１８…音声案内ガイダンス部
１１３…不一致ボタン
１１４…一致確認ボタン
【図１】
0004699265.tif 000002
【図２】
0004699265.tif 000003
【図３】
0004699265.tif 000004
【図４】
0004699265.tif 000005
【図５】
0004699265.tif 000006
【図６】
0004699265.tif 000007
【図７】
0004699265.tif 000008